(57)【要約】【課題】盗難防止ケースに商品の収納ずみ収納ケースを嵌装して、展示ケースの上面挿入口から盗難防止ケースを挿入した際、展示ケースに挿入してある背見出しや押えシートが押し戻されて展示ケースが膨出するのをなくする。【解決手段】盗難防止ケースＬに商品の収納ずみ収納ケースＫを嵌装して、上面挿入口２３から展示ケースＭに盗難防止ケースＬを挿入し、展示ケースＭには、前もって背見出し２１、押えシート２２が挿入してあり、盗難防止ケースの側面に形成してある収まり部５１に背見出しや押えシートが嵌り込んで展示ケースの側壁が膨出しないようにする。【選択図】          図４
2004249069.tif 000002
【特許請求の範囲】
【請求項１】
一側面の開口から盗難防止ケースに商品の収納ケースを嵌装すると共に、嵌装下に上記開口の下縁から上向きに突出する脱出防止部の内側に上記収納ケースの下部が位置するようにし、また上記盗難防止ケースの上辺側に設けてあるショップ側の解錠具による解錠可能な錠装置によって前記錠装置側或いは盗難防止ケース側の突出部と収納ケースの上辺とが係合関係になるようにし、一端内に背見出し或いは背見出しと押えシートとの挿入ずみ透明な展示ケースの上面挿入口から上記盗難防止ケースを挿入したことを特徴とする展示装置。
【請求項２】
一側面の開口から盗難防止ケースに商品の収納ケースを嵌装すると共に、嵌装下に上記開口の下縁から上向きに突出する脱出防止部の内側に上記収納ケースの下部が位置するようにし、また上記盗難防止ケースの上辺側に設けてあるショップ側の解錠具による解錠可能な錠装置によって前記錠装置側或いは盗難防止ケース側の突出部と収納ケースの上辺とが係合関係になるようにし、一端内に背見出し或いは背見出しと押えシートとの挿入ずみ透明な展示ケースの上面挿入口から上記盗難防止ケースを挿入し、上記盗難防止ケースの側面上記背見出し或いは背見出し及び押えシートとの重なり部分に前記背見出し或いは背見出し及び押えシートが嵌入状に収まる収まり部を設けたことを特徴とする展示装置。
【請求項３】
一側面の開口から盗難防止ケースに商品の収納ケースを嵌装すると共に、嵌装下に上記開口の下縁から上向きに突出する脱出防止部の内側に上記収納ケースの下部が位置するようにし、また上記盗難防止ケースの上辺側に設けてあるショップ側の解錠具による解錠可能な錠装置によって前記錠装置側或いは盗難防止ケース側の突出部と収納ケースの上辺とが係合関係になるようにし、一端内に背見出し或いは背見出しと押えシートとの挿入ずみ透明な展示ケースの上面挿入口から上記盗難防止ケースを挿入し、上記盗難防止ケースの厚み幅が薄くなるように上記盗難防止ケースの開口の縁を収納ケースの側面と同等或いは極力近づけて、上記挿入背見出し或いは背見出しと押えシートを押し出さないようにしたことを特徴とする展示装置。
【請求項４】
前記脱出防止部が盗難防止ケースの側面から外方に突出させて設けてあり、展示ケースに上記脱出防止部が嵌り込む貫窓を設けたことを特徴とする請求項１、２又は３に記載の展示装置。
【請求項５】
前記脱出防止部が盗難防止ケースの側面から外方に突出させて設けてあり、展示ケースに上記脱出防止部が嵌り込む貫窓を設け、上記脱出防止部に上記貫窓からの脱出案内テーパー面部を設けたことを特徴とする請求項１、２又は３に記載の展示装置。
【請求項６】
前記脱出防止部が盗難防止ケースの側面から外方に突出させて設けてあり、展示ケースに上記脱出防止部が嵌り込む貫窓を設け、上記脱出防止部に上記貫窓からの脱出案内テーパー面部を設け、上記貫窓の縁に上記脱出案内テーパー面部の表面に外接する脱出助長部を設けたことを特徴とする請求項１、２又は３に記載の展示装置。
【請求項７】
一側面の開口から盗難防止ケースに商品の収納ケースを嵌装すると共に、嵌装下に上記開口の下縁コーナー側で上向きに、かつ上記盗難防止ケースの側面から外方に突出させて設けてある脱出防止部の内側に上記収納ケースの下部が位置し、また上記盗難防止ケースの上辺側に設けてあるショップ側の解錠具による解錠可能な錠装置によって前記錠装置側或いは盗難防止ケース側の突出部と収納ケースの上辺とが係合関係になるようにし、一端内に背見出し或いは背見出しと押えシートとの挿入ずみ透明な展示ケースの上面挿入口から上記盗難防止ケースを挿入し、上記背見出し或いは背見出しと、押えシートの下縁に上記脱出防止部に対する重なり防止回避手段を設けたことを特徴とする展示装置。
【請求項８】
一側面の開口から盗難防止ケースに商品の収納ケースを嵌装すると共に、嵌装下に上記開口の一側縁から他側方向に突出する脱出防止部の内側に上記収納ケースの一側縁部が位置するようにし、また上記盗難防止ケースの他側辺側に設けてあるショップ側の解錠具による解錠可能な錠装置によって前記錠装置側或いは盗難防止ケース側の突出部と上記収納ケースの他側辺とが係合関係になるようにし、一端内に背見出し或いは背見出しと押さえシートとの挿入ずみ透明な展示ケースの上面挿入口から上記盗難防止ケースを挿入したことを特徴とする展示装置。
【請求項９】
一側面の開口から商品の収納ケースを出し入れする箱体と、この箱体にヒンジを介し上記開口を開閉するように設けた蓋体と、上記箱体と蓋体との周辺に設けたショップ側の解錠具による解錠可能な前記蓋体の解放阻止錠装置とで盗難防止ケースを形成し、一端内に背見出し或いは背見出しと押えシートとの挿入ずみ透明な展示ケースの上面挿入口から上記盗難防止ケースを挿入し、上記収納ケース内の商品の表示に対応する上記箱体或いは蓋体を透明にしたことを特徴とする展示装置。
【請求項１０】
一側面の開口から商品の収納ケースを出し入れする箱体と、この箱体にヒンジを介し上記開口を開閉するように設けた蓋体と、上記箱体と蓋体との周辺に設けたショップ側の解錠具による解錠可能な前記蓋体の解放阻止錠装置とで盗難防止ケースを形成し、一端内に背見出し或いは背見出しと押えシートとの挿入ずみ透明な展示ケースの上面挿入口から上記盗難防止ケースを挿入し、上記収納ケース内の商品の表示に対応する上記不透明な箱体或いは蓋体に上記収納ケースの通過を許容しない前記表示の透視窓を設けたことを特徴とする展示装置。
【発明の詳細な説明】
【０００１】
【発明の属する技術分野】
この発明は、商品、例えば貸し出しや販売のディスクを収納したケースの開放にともなうディスクの盗難を防止すると共に、ディスク毎ケースの店外持ち出しを防止し、かつ展示ケースから収納ケースが見えるようにする展示装置に関する。
【０００２】
【従来の技術及びその課題】
ショップに商品、例えばディスクの収納ケースを陳列すると、ケースが開放されて収納ディスクの抜き取り、すなわち盗難の原因になる。
【０００３】
そこで、ディスクの盗難を防止するために、盗難防止ケースにディスクの収納ケースを入れて、収納ケースの開放は勿論、盗難防止ケースに対するディスクの収納ケースの取り出しを阻止するようにしている。
【０００４】
勿論、盗難防止ケースには、周知のようにショップの出入口に設置された磁気センサーなどの検知手段を作用させて盗難を検知する不正持ち出し防止のタグが設けてある。
【０００５】
上記のような方式に用いる盗難防止ケースＡとしては、図３１及び図３２に示すように、一側面に設けてある開口１から商品（例えばディスク）の収納ケースＢを、収納ケースＢの上縁側を先行させて嵌入し、次いで開口１の下縁両コーナーから上方に突出している脱出防止部２の上を収納ケースＢの下辺が通過するように嵌入したのち、嵌入時に押し上げ状態にある収納ケースＢを降下させて、盗難防止ケースＡの周囲下辺壁３上に収納ケースＢの下辺表面を当接させる。
【０００６】
すると、図３１及び図３２に示すように、脱出防止部２の内側に収納ケースＢの下辺部が位置して、開口１に対する収納ケースＢの下辺側の脱出を防止するようになっている。
【０００７】
また、収納ケースＢの嵌入は、上記以外に収納ケースＢの下縁が脱出防止部２の上を通過するようにして盗難防止ケースＡ内の底に収納ケースＢの下縁を落とし込んだのち、開口１から盗難防止ケースＡ内に収納ケースＢの上縁部を嵌入する。
【０００８】
そして、この状態下での開口１からの収納ケースＢの上辺側の脱出防止を、盗難防止ケースＡの周囲上辺壁に出没自在（図示昇降自在）に設けてあるスライダ４と盗難防止ケースＡとに設けてある突出性の付与爪と貫孔との係止手段５によってスライダ４の没入下に係合関係にし、スライダ４から下方に突出する突片６によって収納ケースＢの開口１から収納ケースＢの上縁側の脱出を阻止するので、盗難防止ケースＡに対する収納ケースＢの抜き取りや、盗難防止ケースＡ内での収納ケースＢの開放阻止にともなう収納商品の抜き取りを防止するようにしている。
【０００９】
なお、係止手段５の係合関係解除は、ショップ側の解錠具を用いて行い、係合関係の解除にともないスライダ４が突出するので、突片６による収納ケースＢの引っかかりがなくなって、盗難防止ケースＡから収納ケースＢの取り出しができるようになっている。
【００１０】
そして、取り出した収納ケースＢは、貸し出しや販売される。
【００１１】
また、盗難防止ケースＡには、周知のように不正な持ち出しを防止するように、ショップ側の出入口に設置してある検知手段を作用させる盗難防止タグ７が設けてある。
【００１２】
レンタルショップにおいて、上記収納ケースの取り出した空の盗難防止ケースをショップの棚に戻すと、盗難防止ケースに背見出しを具備していないので、貸し出し商品の題名などがわからない不都合が発生した。
【００１３】
そこで、この発明は、レンタルショップにおいてショップの棚に盗難防止ケースの引き抜いた空の展示ケースを存在させて貸し出した商品の題名などの表示が残るようにし、また展示ケースに盗難防止ケースを挿入した際、展示ケースの挿入背見出しや背見出しと押さえシートの部分が外方に膨出しないようにすると共に、盗難防止ケースの脱出防止部が盗難防止ケースの側面から突出していても、展示ケースの外方への膨出をなくすることができ、また、展示ケースから盗難防止ケース内の収納ケースが見えるようにしたことにある。
【００１４】
【課題を解決するための手段】
上記の課題を解決するために、この発明は、一側面の開口から盗難防止ケースに商品の収納ケースを嵌装すると共に、嵌装下に上記開口の下縁から上向きに突出する脱出防止部の内側に上記収納ケースの下部が位置するようにし、また上記盗難防止ケースの上辺側に設けてあるショップ側の解錠具による解錠可能な錠装置によって前記錠装置側或いは盗難防止ケース側の突出部と収納ケースの上辺とが係合関係になるようにし、一端内に背見出し或いは背見出しと押さえシートとの挿入ずみ透明な展示ケースの上面挿入口から上記盗難防止ケースを挿入したことを特徴とする展示装置を採用する。
【００１５】
また一側面の開口から盗難防止ケースに商品の収納ケースを嵌装すると共に、嵌装下に上記開口の下縁から上向きに突出する脱出防止部の内側に上記収納ケースの下部が位置するようにし、また上記盗難防止ケースの上辺側に設けてあるショップ側の解錠具による解錠可能な錠装置によって前記錠装置側或いは盗難防止ケース側の突出部と収納ケースの上辺とが係合関係になるようにし、一端内に背見出し或いは背見出しと押さえシートとの挿入ずみ透明な展示ケースの上面挿入口から上記盗難防止ケースを挿入し、上記盗難防止ケースの側面上記背見出し或いは背見出し及び押さえシートとの重なり部分に前記背見出し或いは背見出し及び押さえシートが嵌入状に収まる収まり部を設けたことを特徴とする展示装置を採用する。
【００１６】
さらに一側面の開口から盗難防止ケースに商品の収納ケースを嵌装すると共に、嵌装下に上記開口の下縁から上向きに突出する脱出防止部の内側に上記収納ケースの下部が位置するようにし、また上記盗難防止ケースの上辺側に設けてあるショップ側の解錠具による解錠可能な錠装置によって前記錠装置側或いは盗難防止ケース側の突出部と収納ケースの上辺とが係合関係になるようにし、一端内に背見出し或いは背見出しと押さえシートとの挿入ずみ透明な展示ケースの上面挿入口から上記盗難防止ケースを挿入し、上記盗難防止ケースの厚み幅が薄くなるように上記盗難防止ケースの開口の縁を収納ケースの側面と同等或いは極力近づけて、上記挿入背見出し或いは背見出しと押さえシートを押し出さないようにしたことを特徴とする展示装置を採用する。
【００１７】
また前記脱出防止部が盗難防止ケースの側面から外方に突出させて設けてあり、展示ケースに上記脱出防止部が嵌り込む貫窓を設け、前記脱出防止部が盗難防止ケースの側面から外方に突出させて設けてあり、展示ケースに上記脱出防止部が嵌り込む貫窓を設け、上記脱出防止部に上記貫窓からの脱出案内テーパー面部を設け、前記脱出防止部が盗難防止ケースの側面から外方に突出させて設けてあり、展示ケースに上記脱出防止部が嵌り込む貫窓を設け、上記脱出防止部に上記貫窓からの脱出案内テーパー面部を設け、上記貫窓の縁に上記脱出案内テーパー面部の表面に外接する脱出助長部を設けることもある。
【００１８】
さらに、一側面の開口から盗難防止ケースに商品の収納ケースを嵌装すると共に、嵌装下に上記開口の下縁コーナー側で上向きに、かつ上記盗難防止ケースの側面から外方に突出させて設けてある脱出防止部の内側に上記収納ケースの下部が位置し、また上記盗難防止ケースの上辺側に設けてあるショップ側の解錠具による解錠可能な錠装置によって前記錠装置側或いは盗難防止ケース側の突出部と収納ケースの上辺とが係合関係になるようにし、一端内に背見出し或いは背見出しと押さえシートとの挿入ずみ透明な展示ケースの上面挿入口から上記盗難防止ケースを挿入し、上記背見出し或いは背見出しと、押さえシートの下縁に上記脱出防止部に対する重なり防止回避手段を設けた構成や、挿入口から展示ケースに、一側に脱出防止部、他側に錠装置を配置してある収納ケースの嵌装ずみ盗難防止ケースを挿入した展示装置を採用する。
【００１９】
また、一側面の開口から商品の収納ケースを出し入れする箱体と、この箱体にヒンジを介し上記開口を開閉するように設けた蓋体と、上記箱体と蓋体との周辺に設けたショップ側の解錠具による解錠可能な前記蓋体の解放阻止錠装置とで盗難防止ケースを形成し、一端内に背見出し或いは背見出しと押えシートとの挿入ずみ透明な展示ケースの上面挿入口から上記盗難防止ケースを挿入し、上記収納ケース内の商品の表示に対応する上記箱体或いは蓋体を透明にした構成や、一側面の開口から商品の収納ケースを出し入れする箱体と、この箱体にヒンジを介し上記開口を開閉するように設けた蓋体と、上記箱体と蓋体との周辺に設けたショップ側の解錠具による解錠可能な前記蓋体の解放阻止錠装置とで盗難防止ケースを形成し、一端内に背見出し或いは背見出しと押えシートとの挿入ずみ透明な展示ケースの上面挿入口から上記盗難防止ケースを挿入し、上記収納ケース内の商品の表示に対応する上記不透明な箱体或いは蓋体に上記収納ケースの通過を許容しない前記表示の透視窓を設けた構成を採用することもある。
【００２０】
【発明の実施形態】
この発明の実施の形態を添付図面に基づいて説明する。
【００２１】
この発明の第一の実施形態の展示装置は、図１に示すように、商品、例えばディスクを収納した収納ケースＫと、この収納ケースＫを出し入れ自在に嵌入すると共に、ショップ側での解錠具を使用しない限り収納ケースＫの取り出しを防止する盗難防止ケースＬと、一端内に背見出し２１のみ或いは背見出し２１と背見出し２１の押さえシート２２とを上面挿入口２３から嵌装しておいて挿入口２３から盗難防止ケースＬを挿入した透明な展示ケースＭとからなる。
【００２２】
なお、押さえシート２２は、透明な合成樹脂シートを平面コ字状に屈曲して設け、背見出し２１も一枚のシートを平面コ字状に屈曲してあるがＬ形もある。
【００２３】
上記の収納ケースＫは、例えば箱体と、この箱体にヒンジを介し開閉自在に設けた蓋体とからなり、ケースＫに商品としての例えばレンタルのディスクを収納したものなどである。
【００２４】
上記の盗難防止ケースＬは、一側面に収納ケースＫを出し入れする開口３１を有するケース３２と、この開口３１の下縁から上向きに突出する収納ケースＫの下縁部引っかかりの脱出防止部３３と、ケース３２の上辺にショップ側の解錠具３４による解錠可能な錠装置３５によって錠装置３５側或いはケース３２側の突出部３６と収納ケースＫの上辺とが係合関係になるように構成してある。
【００２５】
上記の錠装置３５は、例えば図１、２、６、８及び図９に示すように、ケース３２の上辺壁に上下面が開放するガイド用の筒状部３７を設けて、この筒状部３７に上下方向にスライドするスライダ３８を嵌装すると共に、このスライダ３８と筒状部３７との対向面一方に凹入或いは貫通する係合部３９を、他方にスライダ３８の下方への押し込みにともない押し戻され、スライダ３８の押し込み終了にともない合致する係合部３９に自動的に嵌り込んで係合関係になる突出力の付与（図示の場合、スライダ３８にコ字状の切り込みを入れて、この切り込みの内側を突出させてスライダ３８と一体的に設けたが、別部品を接着して設けることもある）係止爪４１とからなり、スライダ３８から下向きに突出する突出部３６が収納ケースＫの上辺外側に位置して、突出部３６と収納ケースＫとの引っかかりの関係によって盗難防止ケースＬからの（収納ケースＫの下辺とその外側の脱出防止部３３との引っかかりにもよって）収納ケースＫの取り出しは勿論のこと、収納ケースＫの開放も阻止する。
【００２６】
なお、突出部３６を、スライダ３８に設けないで開口３１の上縁から下方に突出させる（図９に示すように）こともある。
【００２７】
その際、収納ケースＫは、上辺側を先行させて突出部３６の内側に嵌入し、次いで収納ケースＫの持ち上げを維持しながら脱出防止部３３の上を収納ケースＫの下辺が通過するようにし、通過後収納ケースＫをケース３２の周囲下辺壁上に落し込む。
【００２８】
このとき、収納ケースＫの下辺外側に脱出防止部３３が、収納ケースＫの上辺外側に突出部３６が位置してケース３２に対し収納ケースＫの上下が外れない関係（図示省略）にする。
【００２９】
しかして、スライダ３８を降下させて収納ケースＫの上面にスライダ３８の下面を接近或いは当接させると共に、係合部３９と係止爪４１との係合によるスライダ３８の上昇と共に、ケース３２内での収納ケースＫの上昇を阻止して、盗難防止ケースＬに対する収納ケースＫの取り出しが阻止する方式であってもよい。
【００３０】
なお、解錠具３４は、図１２に示すように差し込み片やピン４５を筒状体３７の内面ガイド溝や孔４６に突き差して、差し込み片やピン４５によって係止爪４１を係合部３９から外れる（脱出する）ように押し戻すようになっているが、その他の方式
（構成）によって解錠してもよい。
【００３１】
なお、図１１に示す解錠具は、一例にすぎず、周知のように爪４１を金属により形成して、磁石により爪４１と係合部３９との係合関係を解除するように爪４１を磁吸させる方法であってもよい。
【００３２】
要するに、錠装置によって盗難防止ケースＬから収納ケースＫの取り出しを阻止することにある。
【００３３】
図中５２はショップの出入口に設置してある検出装置を作用させて盗難を検知するための盗難防止タグ（ケース３２に設けた）である。
【００３４】
上記のように構成すると、収納ケースＫの嵌め込みずみ盗難防止ケースＬを挿入口２３から展示ケースＭに挿入して、ショップの棚に並べる。
【００３５】
展示時には、展示ケースＭに収納してある背見出し２１によって盗難防止ケースＬ内の収納ケースＫに収納してある商品が一目でわかると共に、透明な展示ケースＭから盗難防止ケースＬ内の収納ケースＫが見える。。
【００３６】
勿論、展示下での収納ケースＫの取り出しや収納商品の抜き取りは、盗難防止ケースＬによって防止される。
【００３７】
当然、店外への盗難防止ケースＬの（収納ケースＫ毎の）持ち出しは、タグ５２によって検知される。
【００３８】
貸し出しに際しては、展示ケースＭから盗難防止ケースＬを抜き取ってカウンタに持参し、カウンタで店員による解錠具３４を用いて係合爪４１と係合部３９との係合関係を解除して、盗難防止ケースＬから取り出した収納ケースＫを貸し出す。
【００３９】
勿論、販売することもできる。
【００４０】
その際、レンタルショップにあっては、ショップの棚に空の展示ケースＭが残っているので、背見出し２１の題名の商品が貸し出し中であることがわかる。
【００４１】
なお、カウンタに展示ケースＭと共に盗難防止ケースＬが持参された場合、店員によってショップの棚に空の展示ケースＭを戻す。
【００４２】
この発明の第二の実施形態では、図２から図５に示すように、第一の実施形態と同様の収納ケースＫを嵌め込んで開放は勿論盗難を防止する盗難防止ケースＬ及び背見出し２１或いは背見出し２１と押さえシート２２との挿入展示ケースＭとからなり、盗難防止ケースＬの側面背見出し２１或いは背見出し２１と押さえシート２２との対向面には、背見出し２１或いは背見出し２１と押さえシート２２が嵌入状に収める収まり部５１が設けてある。
【００４３】
その要因は、展示ケースＭに盗難防止ケースＬを挿入したとき、盗難防止ケースＬによって背見出し２１や背見出し２１及び押さえシート２２の厚みによって展示ケースＭの側壁が外方に押し出されて膨出するのを阻止することにある。
【００４４】
上記の収まり部５１は、図示の場合ケース３２の周壁開口３１側の縁を欠除し、ケース３２側壁に貫窓を形成して設けたが、壁の肉厚を薄くして設けることもできる。
【００４５】
上記収納ケースＫ、盗難防止ケースＬ、展示ケースＭ及び解錠方式は、第一の実施形態と同様につき説明を省略する。
【００４６】
この発明の第三の実施形態では、図６から図９に示すように、脱出防止部３３が開口３１の縁から上方に突出し、かつ盗難防止ケースＬの側面から外方に表面を突出させて設けてある。
【００４７】
上記の脱出防止部３３は、図示の場合開口３１の下縁中央部に設けたが、配置位置や数は限定されない。
【００４８】
また、展示ケースＭには、展示ケースＭに盗難防止ケースＬを挿入し終わったとき、脱出防止部３３の嵌り込み貫窓６１が設けてある。
【００４９】
上記貫窓６１を設ける要因は、展示ケースＭに盗難防止ケースＬを挿入した際、脱出防止部３３によって展示ケースＭの側壁が押し出されて膨出するのを防止することにことにある。
【００５０】
そして、膨出防止部３３の上縁表面に上方に向う程肉厚が薄くなるテーパー面部６２を設けて、展示ケースＭから盗難防止ケースＬを引き抜く際貫窓６１からの脱出防止部３３の脱出が容易になる。
【００５１】
なお、脱出防止部３３を倒立Ｖ字状や、上縁が片方の端からもう片方の端に傾斜する形状にしておくと、貫窓６１に対する脱出防止部３３の脱出の接触点が徐々に移行してスムーズな脱出になる。
【００５２】
この発明の第四の実施形態では、図１０及び図１１に示すように、第一の実施形態と同様の盗難防止ケースＬの厚み幅が薄くなるように開口３１の開放縁面と収納ケースＫの側面とが同一或いは極力近づけて形成する。
【００５３】
すると、従来例の間隙１１のないものとなる。
【００５４】
また、展示ケースＭに幅の厚みが薄くなった盗難防止ケースＬを挿入しても、展示ケースＭに挿入してある背見出し２１或いは背見出し２１と押さえシート２２とが盗難防止ケースＬによって外方に押し出される（図１１に示す）ことなく、展示ケースＭの膨出変形をなくする。
【００５５】
そして、脱出防止部３３は、第三の実施形態と同様に設けてあり、展示ケースＭに脱出防止部３３の嵌り込み貫窓６１を設けて、脱出防止部３３による展示ケースＭの押し出し変形を阻止する。
【００５６】
勿論、脱出防止部３３にテーパー面部６２を設けて（第三実施形態と同様に）貫窓６１からの脱出防止部３３の脱出（盗難防止ケースＬの抜き取り時の）をスムーズに行う。
【００５７】
なお、脱出防止部３３の配置位置は、図示の中央に限定されない。
【００５８】
また、盗難防止ケースＬの幅の厚みを薄くする部分は、全体或いは展示ケースＫに挿入する部分のみ、すなわち、展示ケースＫの挿入口２３から上方に盗難防止ケースＬの上部が突出するためにある。
【００５９】
さらに、図１３に示すように盗難防止ケースＬの展示ケースＭの挿入口２３から突出する周面に鋸歯状などの凹凸部７１を設けておくと、つかみ出す指先にいたみを与えることができる。
【００６０】
この発明の第五の実施形態では、図１４から図１６に示すように、第三の実施形態と同様に表面が盗難防止ケースＬの側面から外方に突出したテーパー面部６２付の脱出防止部３３を有する盗難防止ケースＬと、脱出防止部３３が嵌り込む貫窓６１を有する展示ケースＭとからなり、貫窓６１の開口縁には、テーパー面部６２の表面に外接して展示ケースＭに対する盗難防止ケースＬの引き抜きにともない脱出防止部３３の貫窓６１に対する脱出がスムーズに助長する、すなわち、貫窓６１に対する脱出防止部３３の引っかかりなどの抵抗がないようにする脱出助長部９１が設けてある。
【００６１】
すると、テーパー面部６２に外接する脱出助長部９１によって貫窓６１に対する脱出防止部３３の脱出開始時に展示ケースＭの貫窓６１近くの壁を外方に押し逃がして、脱出防止部３３のスムーズな脱出を助長することができる。
【００６２】
上記の脱出助長部９１は、図示の場合台形の脱出防止部３３の上縁側テーパー面部６２の両コーナー間中央に外接するように設けたが、脱出防止部３３の形状によって貫窓６１の形状を変更することがあり、目的に応じて位置を決定すればよい。
【００６３】
当然、位置や数は図示に限定されず適宜決定すればよい。
【００６４】
なお、図示のように脱出助長部９１の突出縁の手前に折れ線９２を設けておくと、脱出防止部３３のテーパー面部６２の脱出助長部９１に対する抵抗を軽減することができる。
【００６５】
上記展示ケースＭは、第三の実施形態と、盗難防止ケースＬは、第一、第三の実施形態と同様につき説明を省略する。
【００６６】
この発明の第六の実施形態では、図１７から図１９に示すように第一の実施形態と同様の展示ケースＭと、第三の実施形態と同様の盗難防止ケースＬとからなり、展示ケースＭに挿入してある背見出し２１或いは背見出し２１と押さえシート２２の下縁には、盗難防止ケースＬの脱出防止部３３に対する重なり防止回避手段Ｓが設けてある。
【００６７】
上記の重なり防止回避手段Ｓは、図示の場合背見出し２１或いは背見出し２１と押さえシート２２との下縁に切欠き９５を設けて形成してある。
【００６８】
そして、図２０から図２２に示す場合、押さえシート２２の中間シートの下端部に倒立Ｕ字状の切り込み９６を入れて、この切り込み９６の内側を外方に押し出して設けた支承片９７と押さえシート２２の中間シートとの間に背見出し２１の下縁を差し込んで、押さえシート２２の下縁を展示ケースＭの底面から浮上させて、脱出防止部３３に対する押さえシート２２の下縁の重なりを回避することもある。
【００６９】
要するに、脱出防止部３３に対する重なりを回避することにある。
【００７０】
すると、展示ケースＭに盗難防止ケースＬを挿入した際の脱出防止部３３と背見出し２１或いは背見出し２１と押さえシート２２との重なりが重なり防止回避手段Ｓによりなくなるので、脱出防止部３３による背見出し２１或いは背見出し２１と押さえシート２２による展示ケースＭの側面の膨出が大きくならないと共に、背見出し２１或いは押さえシート２２に対する脱出防止部３３の強い圧接が回避されて、盗難防止ケースＬの引き抜きにともない背見出し２１或いは背見出し２１と押さえシート２２との引き抜きを阻止する。
【００７１】
そして、図示のように、脱出防止部３３にテーパー面部６２を設けておくと、切欠き９５の縁と脱出防止部３３との引っかかりをなくすることができる。
【００７２】
図中９８は押さえ込み片である。
【００７３】
なお、第一の実施形態の図１に示す脱出防止部３３を盗難防止ケースＬの側面に面一にして設けたが、第三の実施形態の図示のように盗難防止ケースＬの側面から脱出防止部３３を突出させて（図示省略）設け、展示ケースＭに突出させてある脱出防止部３３の嵌り込む貫窓６１（図示省略）を設けて、第三の実施形態と同様の効果をはかり、また第三の実施形態の図示のように脱出防止部３３の上縁表面に上方に向かう程肉厚が薄くなるテーパー面部を（図示省略）設けて、第三の実施形態と同様の効果をはかり、さらに第五の実施形態の図示のように脱出防止部３３の嵌り込む貫窓６１の縁に脱出助長部９１を設けて、第五の実施形態と同様の効果をはかる。
【００７４】
この発明の第七の実施形態では、図２３に示すように、商品を収納した収納ケースＫと、この収納ケースＫを一側面の開口３１から出し入れすると共に、開口３１の一側縁に嵌入下の収納ケースＫの一側に引っかかりによって脱出を阻止する脱出防止部３３及び他側縁に収納下の収納ケースＫの他側に係合関係になる錠装置３５を有する盗難防止ケースＬと、一端内に背見出し２１のみ或いは背見出し２１と押さえシート２２を上面の挿入口２３から嵌入しておいて挿入口２３から盗難防止ケースＬを挿入した透明な展示ケースＭとからなる。
【００７５】
すると、第一の実施形態と同様の効果がある。
【００７６】
上記収納ケースＫ、脱出防止部３３及び錠装置３５を有する盗難防止ケースＬ、背見出し２１、押さえシート２２の嵌装展示ケースＭは、第一の実施形態と同様につき説明を省略する。
【００７７】
そして、図２４、２５に示すように脱出防止部３３を盗難防止ケースＬの側面から外方に突出させた場合は、第三の実施形態と同様に展示ケースＭに貫窓６１を設けて、第三の実施形態と同様の効果をはかり、また脱出防止部３３に第三の実施形態と同様にテーパー面部６２を設けて、第三の実施形態と同様の効果をはかり、さらに貫窓６１の開口縁に図２６に示す第五の実施形態と同様の脱出助長部９１を設けて、第五の実施形態と同様の効果をはかることもある。
【００７８】
上記第五、第七の実施形態の脱出助長部９１の突出長さは、適宜決定すると共に、折れ線９２は、単数或いは複数設けることもできる。
【００７９】
なお、第七の実施形態の盗難防止ケースＬにも、第二の実施形態と同様の収まり部５１（図示省略）や、脱出防止部３３の配置位置によって第六の実施形態と同様の重なり防止回避手段Ｓ（図示省略）を設けることもある。
【００８０】
この発明の第八の実施形態では、図２７及び図２８に示すように、一側面の開口１１１から商品（例えば販売や貸し出しのディスクなど）の収納ケースＫを出し入れする箱体１１２と、この箱体１１２にヒンジ１１３を介し上記開口１１１を開閉する蓋体１１４と、この箱体１１２と蓋体１１４との周辺（図示の場合、ヒンジ１１３の反対側上辺に設けるが、側辺に設けることもある）にショップ側の解錠具３４による解錠可能な蓋体１１４の解放阻止錠装置３５とで盗難防止ケースＬ’を形成する。
【００８１】
上記の解錠具３４及び錠装置３５は、図示の場合第一の実施形態と同様の構成（この構成は、第一の実施形態と同様につき説明を省略し、スライダ３８の突出部３６が蓋体１１４の上辺壁の貫孔や穴１１５にスライダ３８の押し込みに貫通して、突出部３６を介し箱体１１２と蓋体１１４の上辺壁が係合関係になる）を採用したが、限定されず他の方式、例えば磁石により係合部から爪が外れるように磁吸させる構成を採用することもある。
【００８２】
上記箱体１１２及び蓋体１１４は、合成樹脂による成型製品が用いられ、ヒンジ１１３は、図示のピンヒンジに限定されず、例えばハーフカットのヒンジなどであってもよい。
【００８３】
そして、盗難防止ケースＬ’は、第一の実施形態と同様に、一端内に背見出し２１のみ或いは背見出し２１と押さえシート２２との挿入ずみ透明な展示ケースＭの上面挿入口２３から挿入する。
【００８４】
上記盗難防止ケースＬ’には、商品の収納ケースＫが入れてあり、収納ケースＫの表面から商品に見合う表示、例えば商品の表面に印刷や印刷紙の貼付けなどにより設けてある表示や収納ケースＫに入れてある印刷紙などの表示（この表示は、例えば商品の題名、出演者、絵模様、宣伝、歌詞カードなどの）が透視できるようになっているので、この表示に対応する蓋体１１４或いは箱体１１２の少なくとも片方を透明にしてある。
【００８５】
すると、第一の実施形態と同様にショップの棚に展示した際、透明な展示ケースＭから盗難防止ケースＬ’の表示に対応する側の透明によって盗難防止ケースＬ’内の収納ケースＫの表示などが透視することができる。すなわち、収納ケースＫが見える。
【００８６】
なお、展示にともなう商品の貸し出しや販売方式は、第一の実施形態と同様につき説明を省略する。
【００８７】
この発明の第九の実施形態では、第八の実施形態と同じ構成の盗難防止ケースＬ”が、収納ケースＫ側の表示と対応する蓋体１１４或いは箱体１１２が不透明な合成樹脂によって形成されている。
【００８８】
なお、不透明な合成樹脂によって成型する要因は、透明な合成樹脂成型品よりコストが安価になるためで、表示と対応する側（図示の場合蓋体１１４）のみや、両方の蓋体１１４と箱体１１２を不透明にすることもあり、また表示に対応しない側を透明にすることもある。
【００８９】
そして、盗難防止ケースＬ”の不透明側（図示の場合蓋体１１４）には、表示を透視することができ、かつ盗難防止ケースＬ”内の収納ケースＫの取り出し通過を許容しない透視窓１２１が設けてある。
【００９０】
上記の透視窓１２１は、図示の場合蓋体１１４の主壁１２２の周縁部が収納ケースＫの抜き取り防止の引っかかりになるように貫窓を設けたが、上記の引っかかりを点在的に配置したり、表示に対応する部分的な貫窓（いずれも図示省略）を設けることもある。
【００９１】
すると、第八の実施形態と同様に上辺の挿入口２３から透明な展示ケースＫに盗難防止ケースＬ”を挿入しても、図３０に示すように、透明な展示ケースＭから透視窓１２１をへて収納ケースＫの表示などを何ら支障なく透視することができる。すなわち、収納ケースＫが見える。
【００９２】
上記の表示は、例えば収納ケースＫに商品と共に収納する印刷物や、商品の表面に設けてある題名、出演者名、絵模様、宣伝、歌詞カードなどで、商品に見合うものである。
【００９３】
上記盗難防止ケースＬ”の箱体１１２、ヒンジ１１３、蓋体１１４及び錠装置３５は、第八の実施形態と同様につき説明を省略し、展示方式も第一の実施形態と同様につき説明を省略する。
【００９４】
上記各実施例の透明な展示ケースＭから盗難防止ケースＬ、Ｌ’、Ｌ”に収納してある収納ケースＫが見えるようにした要因は、例えば平成１１年特許願第２４９１５７号や、特願２０００−５２５０４号のような上面に挿入口を有する不透明な合成樹脂製のケース（色ものと称す）と、このケースの外周面に重ねて両側縁をケースに熱融着や接着剤などで止めた透明なフィルムとからなり、フィルムの内側に表示の印刷紙を挿入した形成の大幅なコストアップと、印刷紙の挿入に手数のかかる展示ケースを使用しないことにある。
【００９５】
図２７及び、図２９の５２は、第一の実施形態と同様の作用効果を発揮するタグである。
【００９６】
【発明の効果】
以上のように、この発明の展示装置によれば、貸し出し手続きのために盗難防止ケースを引き抜いた後の空の展示ケースをショップ棚に残すことができるので、商品の貸し出しがわかると共に、展示時の収納ケースの盗難を盗難防止ケースによって阻止し、透明な展示ケースから盗難防止ケース内の収納ケースが見える。
【００９７】
また、収まり部によって展示ケースに挿入した盗難防止ケースにより背見出しや、背見出し及び押さえシートを押し出さないようになっているので、展示ケースの側面の膨出変形がない。
【００９８】
このため、ショップの棚に並べて陳列しても従来のような膨出変形による並べる数量が減少したり、整然と並べることができない不都合をなくすることができる。
【００９９】
さらに、盗難防止ケースの幅の厚みを薄くして、既知の展示ケースを使用しても膨出変形がない。
【０１００】
また、展示ケースの貫窓に盗難防止ケースの脱出防止部を嵌り込むようにしてあるので、脱出防止部による展示ケースの膨出変形がなく、上述と同様の効果があり、脱出防止部に設けたテーパー面部によって貫窓からの脱出防止部の脱出が容易になり、貫窓の縁の脱出助長部によっても貫窓からの脱出防止部の脱出がスムーズに行うこともできる。
【０１０１】
さらに、展示ケースに挿入してある背見出し或いは背見出しと押さえシートとに設けてある脱出防止部に対する重なり防止回避手段によって盗難防止ケースの抜き取り時の背見出し或いは背見出しと押さえシートとの引き抜きを防止すると共に、展示ケースの外方への膨出もない。
【０１０２】
また、箱体と蓋体とからなる盗難防止ケースの展示装置にあっても、盗難防止ケース内の収納ケースが見えて、展示条件を損なうことがない。
【０１０３】
そして、従来の大幅なコストアップになる色ものと称する展示ケースが不要になる。
【０１０４】
このため、商品の展示に何ら不都合がない。
【図面の簡単な説明】
【図１】この発明の第一の実施形態を示す分解斜視図
【図２】第二の実施形態の盗難防止ケースを示す斜視図
【図３】同展示ケースの分解斜視図
【図４】展示ケースに盗難防止ケースを挿入した一部切欠側面図
【図５】同上の平面図
【図６】第三の実施形態を示す斜視図
【図７】盗難防止ケースと展示ケースの斜視図
【図８】展示ケースに盗難防止ケースを挿入した一部切欠側面図
【図９】同上の縦断側面図
【図１０】第四の実施形態を示す斜視図
【図１１】展示ケースに盗難防止ケースを挿入した平面図
【図１２】解錠具の使用を示す一部切欠側面図
【図１３】盗難防止ケースの平面図
【図１４】第五の実施形態を示す分解斜視図
【図１５】展示ケースに盗難防止ケースを挿入した側面図
【図１６】同上の要部を示す縦断正面図
【図１７】第六の実施形態を示す分解斜視図
【図１８】展示ケースに盗難防止ケースを挿入した一部切欠側面図
【図１９】背見出しと押さえシートの分解斜視図
【図２０】他の例の分解斜視図
【図２１】同一部切欠側面図
【図２２】背見出しと押さえシートの分解斜視図
【図２３】第七の実施形態を示す分解斜視図
【図２４】同上に設けた脱出防止部と貫窓を示す拡大正面図
【図２５】同横断平面図
【図２６】貫窓に脱出助長部を設けた拡大正面図
【図２７】第八の実施形態を示す分解斜視図
【図２８】同上の縦断側面図
【図２９】第九の実施形態を示す分解斜視図
【図３０】同上の縦断側面図
【図３１】従来例の側面図
【図３２】同上の縦断正面図
【符号の説明】
Ｋ                収納ケース
Ｌ、Ｌ’、Ｌ”    盗難防止ケース
Ｍ                展示ケース
２１              背見出し
２２              押さえシート
２３              挿入口
３１              開口
３２              ケース
３３              脱出防止部
３４              解錠具
３５              錠装置
３６              突出部
３７              筒状部
３８              スライダ
３９              係合部
４１              係止爪
４５              ピン
４６              孔
５１              収まり部
５２              タグ
６１              貫窓
６２              テーパー面部
９１              脱出助長部
Ｓ                重なり防止回避手段
９５              切欠き
９６              切り込み
９７              支承片
９８              押さえ込み片
１１１              開口
１１２              箱体
１１３              ヒンジ
１１４              蓋体
１１５              穴
１２１              透視窓
【図１】
2004249069.tif 000003
【図２】
2004249069.tif 000004
【図３】
2004249069.tif 000005
【図４】
2004249069.tif 000006
【図５】
2004249069.tif 000007
【図６】
2004249069.tif 000008
【図７】
2004249069.tif 000009
【図８】
2004249069.tif 000010
【図９】
2004249069.tif 000011
【図１０】
2004249069.tif 000012
【図１１】
2004249069.tif 000013
【図１２】
2004249069.tif 000014
【図１３】
2004249069.tif 000015
【図１４】
2004249069.tif 000016
【図１５】
2004249069.tif 000017
【図１６】
2004249069.tif 000018
【図１７】
2004249069.tif 000019
【図１８】
2004249069.tif 000020
【図１９】
2004249069.tif 000021
【図２０】
2004249069.tif 000022
【図２１】
2004249069.tif 000023
【図２２】
2004249069.tif 000024
【図２３】
2004249069.tif 000025
【図２４】
2004249069.tif 000026
【図２５】
2004249069.tif 000027
【図２６】
2004249069.tif 000028
【図２７】
2004249069.tif 000029
【図２８】
2004249069.tif 000030
【図２９】
2004249069.tif 000031
【図３０】
2004249069.tif 000032
【図３１】
2004249069.tif 000033
【図３２】
2004249069.tif 000034